(57)【要約】【課題】  複数の成分の混合及び排出順序を設定することができるプレフィルドシリンジを提供する。【解決手段】  排出部１１を有する外筒１２と、その中に配置されたプランジャ用ガスケット１５及び複数の仕切用ガスケット１６Ｘ、１６Ｙを備え、排出部側１１に設けられて外筒１２内で混合して排出される複数の混合成分を収容した複数の混合用収容室１８ａ、１８ｂと、複数の混合用収容室１８ａ、１８ｂよりプランジャ１４側に設けられて混合成分より後に排出される順次排出成分を収容した順次排出用収容室１９とを含み、プランジャ用ガスケット１５を排出部１１側へ移動させることにより、混合用収容室１８ａ、１８ｂ間を連通して複数の混合成分を混合可能な混合排出手段３０と、混合成分の排出後にプランジャ用ガスケット１５を排出部１１側へ移動させることにより、順次排出成分を排出部１１から排出可能な順次排出手段２０とを設けた。【選択図】  図１
2006271938.tif 000002
【特許請求の範囲】
【請求項１】
排出部を有する外筒と、前記外筒内に液密に配置されたプランジャ用ガスケットと、前記外筒内の前記排出部と前記プランジャ用ガスケットとの間に液密に配置されて３室以上の収容室を仕切る複数の仕切用ガスケットとを備えたプレフィルドシリンジであって、
前記３室以上の収容室が、前記排出部側から互いに隣接して設けられ、かつ、前記外筒内で混合して排出される複数の混合成分を隔離して収容した複数の混合用収容室と、前記複数の混合用収容室よりも前記プランジャ側に設けられ、かつ、前記混合成分より後に排出される順次排出成分を収容した順次排出用収容室とを含み、
前記プランジャ用ガスケットを前記排出部側へ移動させることにより、前記混合用収容室間を連通して前記プランジャ用ガスケット側の混合用収容室内の混合成分を、前記排出部側の混合用収容室内へ移送させる混合排出手段と、
前記混合成分の排出後に前記プランジャ用ガスケットを前記排出部側へ移動させることにより、前記順次排出成分を前記排出部から排出可能な順次排出手段とを備えたことを特徴とするプレフィルドシリンジ。
【請求項２】
前記混合排出手段は、前記混合用収容室間を仕切る前記仕切用ガスケットが連通領域に到達することにより前記混合用収容室間を連通する連通路を備え、
前記順次排出手段は、前記順次排出成分と混合後の前記混合成分との間に配置される前記仕切用ガスケットが前記連通領域よりも前記排出部側の排出領域に到達することにより開通する順次排出路を備えることを特徴とする請求項１に記載のプレフィルドシリンジ。
【請求項３】
前記順次排出手段が、前記順次排出成分と混合後の前記混合成分との間に配置される前記仕切用ガスケットに形成された貫通孔と、前記貫通孔に摺動可能に配置された仕切用成形体とを有し、前記仕切用ガスケットが閉塞領域から前記排出領域に移動して、前記仕切用ガスケットが前記仕切用成形体に対して相対移動することにより、前記順次排出路が開通することを特徴とする請求項２に記載のプレフィルドシリンジ。
【請求項４】
前記順次排出手段が、前記順次排出成分と混合後の前記混合成分との間に配置される前記仕切用ガスケットに形成された貫通孔と、前記貫通孔に摺動可能に配置された仕切用成形体とを有し、前記仕切用ガスケットが閉塞領域から前記排出領域に移動して、前記仕切用成形体が前記仕切用ガスケットに対して相対移動することにより、前記順次排出路が開通することを特徴とする請求項２に記載のプレフィルドシリンジ。
【請求項５】
前記混合用収容室と前記順次排出用収容室との間を仕切る前記仕切用ガスケットが前記連通領域に到達することにより、前記順次排出用収容室と前記混合用収容室との間が前記連通路により連通され、前記順次排出成分が前記混合用収容室側に移送可能となることを特徴とする請求項１乃至４の何れか一つに記載のプレフィルドシリンジ。
【請求項６】
前記排出部を閉塞する閉塞手段を備えるとともに、前記複数の混合用収容室のうちの最も前記排出部側の収容室に、粉末製剤又は凍結乾燥製剤が収容されていることを特徴とする請求項１乃５の何れか一つに記載のプレフィルドシリンジ。
【請求項７】
前記複数の混合用収容室の混合液が、被溶解成分と前記被溶解成分を溶解する溶解用液からなるとともに、前記順次排出成分が前記被溶解成分及び溶解用液の混合液を調整する調整液からなり、前記被溶解成分が水に難溶性であり、前記溶解用液が前記被溶解成分に対し溶解度が高いことを特徴とする請求項１乃至６の何れか一つに記載のプレフィルドシリンジ。
【請求項８】
前記調整液が、前記被溶解成分を前記溶解用液に溶解した溶液のｐＨを調整する液であることを特徴とする請求項７に記載のプレフィルドシリンジ。
【請求項９】
前記順次排出成分が、混合後の前記混合成分を押し出すための押出用媒体であることを特徴とする請求項１乃至６の何れか一つに記載のプレフィルドシリンジ。
【発明の詳細な説明】
【技術分野】
【０００１】  本発明は、外筒内に配置された複数の仕切用ガスケットにより３室以上の収容室が仕切られ、これらの収容室に使用時に混合して排出される複数の混合成分や、使用時に溶解して排出される固形薬剤及び溶解液を隔離して収容するのに好適なプレフィルドシリンジに関する。
【背景技術】
【０００２】  従来より、複数の成分を患者に投与するための注射液や輸液等では、混合状態にすると早期に分解や変質等を起こし易い成分を、それぞれ隔離して保存し、使用直前に混合して患者へ投与したり、輸液に混注することが行われており、例えば、長期間安定して保存し易い固形薬剤として保存し、使用時に溶解液や分散液に混合して注射液や輸液を調製して患者へ投与することが多数行われている。【０００３】このような使用時の混合操作を容易にし、調製作業のミスを防止するため、外筒内を仕切用ガスケットにより複数の収容室に仕切り、一つの収容室に固形薬剤や薬液を収容し、他の収容室に溶解液、分散液、他の薬液等を収容した２室型のプレフィルドシリンジが多数提案されている（例えば、下記特許文献１乃至４参照）。【０００４】  これらのプレフィルドシリンジは、製造時や保存時には、２つの成分を隔離した状態で維持でき、使用時には、プランジャを押圧して複数の収容室を仕切る仕切用ガスケットを所定位置まで移動させれば、仕切用ガスケットの両側の収容室間を連通させる流路が形成され、この流路から一方の収容室内の溶解液、分散液、又は薬液等を他方の収容室内に移送して混合することにより、複数の成分が混合された注射液や輸液を調製することができる。そして、更にプランジャを押圧することにより、この調製された混合液を排出部から排出させることが可能である。【０００５】
【特許文献１】特開昭６０−７２５６１号公報
【特許文献２】特開２００１−１０４４８２号公報
【特許文献３】特開２０００−６０９７０号公報
【特許文献４】特開平８−１１２３５８号公報
【発明の開示】
【発明が解決しようとする課題】
【０００６】  しかしながら、従来のプレフィルドシリンジの多くは、２つの収容室に隔離して収容された２成分を使用時に混合して排出するものであり、３成分以上を収容し難いものが多く、また、３室以上の収容室を設けて３成分以上を収容したとしても、使用時に各成分を混合した状態でしか排出させることができなかった。
そのため、使用時に３成分以上を用いる場合、各成分の混合順序や排出順序等に条件が存在すると、一つのプレフィルドシリンジに収容して同時に混合及び排出させることができなかった。【０００７】  例えば、ｐＨ７付近の液には溶解し難く、酸性或いはアルカリ性の液により溶解を促進できる難溶解性の固形薬剤を用いる場合、従来のプレフィルドシリンジを用いると、排出される液のｐＨを７付近に調製しなければならないため、固形薬剤を溶解する溶解液としてはｐＨ７付近の注射用溶解液を用いなければならない。そのため、使用時に各収容室の成分を混合して溶解させるとすれば、溶解し難く、シリンジに振動を与えるなど、溶解操作に手間を要する。また、酸性或いはアルカリ性の液を用いて溶解し、その後にｐＨを７付近となるように調整液を用いて調製するとすれば、複数の混合操作を順序よく行わなければならず、調製操作に手間を要する。さらに、このように複数回の操作を行うと、薬剤成分や、その使用量の間違えるなどの調製ミスが生じやすく、菌による汚染が生じるなどの問題点も生じる。【０００８】  そこで、本発明は、混注用として好適で、複数の成分の混合及び排出順序を設定することができるプレフィルドシリンジを提供することを課題とする。
【課題を解決するための手段】
【０００９】  上記課題を解決するための請求項１に記載の発明は、排出部を有する外筒と、前記外筒内に液密に配置されたプランジャ用ガスケットと、前記外筒内の前記排出部と前記プランジャ用ガスケットとの間に液密に配置されて３室以上の収容室を仕切る複数の仕切用ガスケットとを備えたプレフィルドシリンジであって、
前記３室以上の収容室が、前記排出部側から互いに隣接して設けられ、かつ、前記外筒内で混合して排出される複数の混合成分を隔離して収容した複数の混合用収容室と、前記複数の混合用収容室よりも前記プランジャ側に設けられ、かつ、前記混合成分より後に排出される順次排出成分を収容した順次排出用収容室とを含み、
前記プランジャ用ガスケットを前記排出部側へ移動させることにより、前記混合用収容室間を連通して前記プランジャ用ガスケット側の混合用収容室内の混合成分を、前記排出部側の混合用収容室内へ移送させる混合排出手段と、
前記混合成分の排出後に前記プランジャ用ガスケットを前記排出部側へ移動させることにより、前記順次排出成分を前記排出部から排出可能な順次排出手段とを備えたことを特徴とする。【００１０】  請求項２に記載の発明は、請求項１に記載の発明において、前記混合排出手段は、前記混合用収容室間を仕切る前記仕切用ガスケットが連通領域に到達することにより前記混合用収容室間を連通する連通路を備え、
前記順次排出手段は、前記順次排出成分と混合後の前記混合成分との間に配置される前記仕切用ガスケットが前記連通領域よりも前記排出部側の排出領域に到達することにより開通する順次排出路を備えることを特徴とする。【００１１】  請求項３に記載の発明は、請求項２に記載の発明において、前記順次排出手段が、前記順次排出成分と混合後の前記混合成分との間に配置される前記仕切用ガスケットに形成された貫通孔と、前記貫通孔に摺動可能に配置された仕切用成形体とを有し、前記仕切用ガスケットが閉塞領域から前記排出領域に移動して、前記仕切用ガスケットが前記仕切用成形体に対して相対移動することにより、前記順次排出路が開通することを特徴とする。【００１２】  請求項４に記載の発明は、請求項２に記載の発明において、前記順次排出手段が、前記順次排出成分と混合後の前記混合成分との間に配置される前記仕切用ガスケットに形成された貫通孔と、前記貫通孔に摺動可能に配置された仕切用成形体とを有し、前記仕切用ガスケットが閉塞領域から前記排出領域に移動して、前記仕切用成形体が前記仕切用ガスケットに対して相対移動することにより、前記順次排出路が開通することを特徴とする。【００１３】  請求項５に記載の発明は、請求項１乃至４の何れか一つに記載の発明において、前記混合用収容室と前記順次排出用収容室との間を仕切る前記仕切用ガスケットが前記連通領域に到達することにより、前記順次排出用収容室と前記混合用収容室との間が前記連通路により連通され、前記順次排出成分が前記混合用収容室側に移送可能となることを特徴とする。【００１４】  請求項６に記載の発明は、請求項１乃至５の何れか一つに記載の発明において、前記排出部を閉塞する閉塞手段を備えるとともに、前記複数の混合用収容室のうちの最も前記排出部側の収容室に、粉末製剤又は凍結乾燥製剤が収容されていることを特徴とする。【００１５】  請求項７に記載の発明は、請求項１乃至６の何れか一つに記載の発明において、前記複数の混合用収容室の混合成分が、被溶解成分と前記被溶解成分を溶解する溶解用液からなるとともに、前記順次排出成分が前記被溶解成分及び溶解用液の混合液を調整する調整液からなり、前記被溶解成分が水に難溶性であり、前記溶解用液が前記被溶解成分に対し溶解度が高いことを特徴とする。【００１６】  請求項８に記載の発明は、請求項７に記載の発明において、前記調整液が、前記被溶解成分を前記溶解用液に溶解した溶液のｐＨを調整する液であることを特徴とする。【００１７】  請求項９に記載の発明は、請求項１乃至６の何れか一つに記載の発明において、前記順次排出成分が、混合後の前記混合成分を押し出すための押出用媒体であることを特徴とする。
【発明の効果】
【００１８】  請求項１に記載の発明によれば、排出部側から互いに隣接して設けられた複数の混合用収容室に、外筒内で混合してから排出される複数の混合成分が収容されるとともに、この複数の混合用収容室よりもプランジャ側に設けられた順次排出用収容室に、混合成分より後に排出される順次排出成分が収容され、プランジャ用ガスケットを排出部側へ移動させることにより、混合用収容室間を連通してプランジャ用ガスケット側の混合用収容室内の混合成分を排出部側の混合用収容室内へ移送させる混合排出手段と、混合成分の排出後にプランジャ用ガスケットを排出部側へ移動させることにより、順次排出成分を排出部から排出可能な順次排出手段とを備えたので、プレフィルドシリンジに収容された複数の混合成分を混合して排出させる操作と、混合成分とは別の成分を順次排出させる操作とを、プランジャの押圧操作により行うことが可能であり、複数の収容成分の混合順序や排出順序を設定することが可能なプレフィルドシリンジを提供することができる。【００１９】  請求項２に記載の発明によれば、混合用収容室間を仕切る仕切用ガスケットが連通領域に到達することにより混合用収容室間を連通する連通路を備えるとともに、順次排出成分と混合後の混合成分との間に配置される仕切用ガスケットが連通領域よりも排出部側の排出領域に到達することにより開通する順次排出路を備えているので、排出領域で順次排出路が開通して順次排出成分が排出されるまでの間に、より確実に複数の混合成分を混合するとともに、より確実に混合後の混合成分を排出部から排出させ易くすることができる。【００２０】  請求項３に記載の発明によれば、順次排出手段が順次排出成分と混合後の混合成分との間に配置される仕切用ガスケットに形成された貫通孔と、貫通孔に摺動可能に配置された仕切用成形体とを有し、仕切用ガスケットが閉塞領域から排出領域に移動して、仕切用ガスケットが仕切用成形体に対して相対移動することにより、排出路が開通されるものであるので、排出領域を混合後の混合成分の排出が完了する位置近傍に設け易く、混合成分の排出が実質的に完了した後で順次排出成分を排出させることが可能となる。【００２１】  請求項４に記載の発明によれば、順次排出手段が順次排出成分と混合後の混合成分との間に配置される仕切用ガスケットに形成された貫通孔と、貫通孔に摺動可能に配置された仕切用成形体とを有し、仕切用ガスケットが閉塞領域から排出領域に移動して、仕切用成形体が仕切用ガスケットに対して相対移動することにより、排出路が開通されるものであるので、排出領域を混合後の混合成分の排出が完了する位置近傍に設け易く、混合成分の排出が実質的に完了した後で順次排出成分を排出させることが可能となる。【００２２】  請求項５に記載の発明によれば、混合用収容室と順次排出用収容室との間を仕切る仕切用ガスケットが連通領域に到達することにより、順次排出用収容室と混合用収容室との間が連通路により連通され、順次排出成分を混合用収容室側に移送可能であるので、順次排出成分を排出部から排出させるための順次排出手段をより簡単な構成にすることができる。【００２３】  請求項６に記載の発明によれば、排出部を閉塞する閉塞手段を備えるとともに、複数の混合用収容室のうちの最も排出部側の混合用収容室に、粉末製剤又は凍結乾燥製剤が収容されているので、排出部が閉塞手段で閉塞された状態であっても、プランジャを押圧すると、当該混合用収容室内の気体が圧縮されるため、各混合用収容室間を仕切る仕切用ガスケットを排出部側に移動させることができ、その移動させた位置で混合排出手段により各混合用収容室間を連通させれば、排出部を開放することなく、混合成分の混合操作を行うことができる。尚、プランジャを押圧する際に、予め排出部を閉塞する閉塞手段を除去して、必要により排出部に注射針や送液用チューブを連結もしくは医療容器のコネクターに直接連結した場合でも、混合成分の混合操作を行うことができる。【００２４】  請求項７及び８に記載の発明によれば、複数の混合用収容室の混合成分が、被溶解成分と溶解用液からなるとともに、順次排出成分が被溶解成分及び溶解用液の混合液を調整する調整液からなり、被溶解成分として水に対し難溶解性の成分を用いても、より溶解し易い溶解用液で溶解させることができ、溶解操作が容易である。つまり、難溶性被溶解成分を酸性若しくはアルカリ性の溶解液で溶解した際にも、調整液によりｐＨの調整が容易となる。【００２５】  請求項９に記載の発明によれば、順次排出成分が混合後の混合成分を押し出すための押出用媒体であるので、複数の混合成分を順次排出成分で押し出して排出させることができ、プレフィルドシリンジ内に残留する薬効成分の量を出来るだけ少なく抑えることができ、そのため、混合成分を確実に実質的に全量排出させることも可能である。
【発明を実施するための最良の形態】
【００２６】  以下、この発明の実施の形態について説明する。
図１乃至図４はこの実施の形態を示す。【００２７】  図において、符合１０は、３室型のプレフィルドシリンジである。このプレフィルドシリンジ１０は、先端側に排出部１１を有する外筒１２と、外筒１２の後端側に配置されたプランジャ１４と、プランジャ１４の先端側に連結されて外筒１２内に液密かつ摺動可能に配置されたプランジャ用ガスケット１５と、外筒１２内のプランジャ用ガスケット１５と排出部１１との間の排出部１１側に、液密かつ摺動可能に配置された前部仕切用ガスケット１６Ｘと、プランジャ用ガスケット１５と前部仕切用ガスケット１６Ｘとの間に、液密かつ摺動可能に配置された中間仕切用ガスケット１６Ｙとを有している。
排出部１１の端面１１ａには排出口１１ｃとルアーロック構造部１１ｂとが設けられており、排出口１１ｃの先端が閉塞手段としてのチップキャップ１１ｄにより密封されている。【００２８】  ここでは、前部仕切用ガスケット１６Ｘと排出部１１との間に前部混合用収容室１８ａが区画され、前部仕切用ガスケット１６Ｘと中間仕切用ガスケット１６Ｙとの間に内部混合用収容室１８ｂが区画され、中間仕切用ガスケット１６Ｙとプランジャ用ガスケット１５との間に順次排出用収容室１９が区画され、前部混合用収容室１８ａと内部混合用収容室１８ｂとが前部仕切用ガスケット１６Ｘを介して隣接し、内部混合用収容室１８ｂと順次排出用収容室１９とが中間仕切用ガスケット１６Ｙを介して隣接して配置されている。【００２９】  各収容室１８ａ、１８ｂ、１９には、製造時及び保存時には互いに隔離され、同時に使用される各種の気体、液体、粉体等の物質が、それぞれ互いに異なる成分となるように収容されている。これらの物質としては、例えば、プレフィルドシリンジ１０内で溶解又は混合等された後に輸液に混注される薬液や、直接人体に投与される薬液を挙げることができる。【００３０】  この発明では、前部混合用収容室１８ａと内部混合用収容室１８ｂとには、外筒内で混合してから排出されることが好ましい混合成分が収容され、順次排出用収容室１９には、前部混合用収容室１８ａと内部混合用収容室１８ｂに収容された混合成分と共に使用されるとともに、この混合成分より後に排出されることが好ましい順次排出成分が収容されている。【００３１】  この混合成分として、前部混合用収容室１８ａに、前部混合用収容室１８ａの容積以下の粉末製剤又は凍結乾燥製剤の被溶解成分が収容され、内部混合用収容室１８ｂに被溶解成分を溶解する溶解用液が収容されているのが好ましい。ここで、前部混合用収容室１８ａに収容される粉末製剤又は凍結乾燥製剤を、前部混合用収容室１８ａの容積以下としているのは、前部混合用収容室１８ａに粉末製剤又は凍結乾燥製剤とともに、気体等の圧縮性流体を併せて収容することにより、排出部１１をチップキャップ１１ｄにより閉塞した状態でプランジャ１４の押圧を開始しても、前部混合用収容室１８ａ内の圧縮性流体が圧縮されることにより、前部仕切用ガスケット１６Ｘの移動を許容して後述する連通路を開通させるためである。【００３２】  ここでは、被溶解成分が、難溶解性の成分、特に通常の薬液に用いられるｐＨ７付近の液体に対して難溶解性の成分であるのが好適である。【００３３】  同時に、溶解用液が、難溶解性の成分に対してより高い溶解性が得られる液体、特に、ｐＨ７付近の液体に対して難溶解性の成分の場合には酸性或いはアルカリ性の液体であるのが好適である。【００３４】  さらに、順次排出成分としては、プレフィルドシリンジ１０に収容された収容物全体として適切な成分割合となるように被溶解成分及び溶解用液の成分を調整するための調整液、特に、ｐＨを調整する液とするのが好適である。このような難溶解性の被溶解成分に対する溶解用液の溶解度は、難溶解性の被溶解成分に対する順次排出成分や、順次排出成分及び溶解用液の混合液の溶解度より高いものとするのが好ましい。【００３５】  また、この順次排出成分として、前部混合用収容室１８ａ及び内部混合用収容室１８ｂに収容された混合成分を、プレフィルドシリンジ１０内から押し出すための押し出し液とすることもできる。その場合、前部混合用収容室１８ａ及び内部混合用収容室１８ｂに収容された混合物の成分を調整する必要がなければ、順次排出成分として、生理食塩水を用いることが好ましい。【００３６】  このようなプレフィルドシリンジ１０には、前部仕切用ガスケット１６Ｘを排出部１１側に所定量移動させることにより、前部混合用収容室１８ａと内部混合用収容室１８ｂとの間を連通可能な混合排出手段３０が設けられており、前部仕切用ガスケット１６Ｘには、前部仕切用ガスケット１６Ｘの両側間を連通させることが可能な順次排出手段としての開閉手段２０が設けられている。【００３７】  混合排出手段３０は、外筒１２に設けられた連通路３１を有し、外筒１２の一部を外側に膨出させることにより外筒１２の内面に長手方向に延びる溝状に形成されている。
この混合排出手段３０では、連通路３１が形成されている外筒１２内の位置が連通領域Ｌ１となっており、前部仕切用ガスケット１６Ｘが移動して連通領域Ｌ１に到達すると、前部混合用収容室１８ａと内部混合用収容室１８ｂとの間が連通路３１により連通され、また、中間仕切用ガスケット１６Ｙが移動して連通領域Ｌ１に到達すると、内部混合用収容室１８ｂと順次排出用収容室１９との間が連通されるように構成されている。【００３８】  ここでは、連通路３１は、前部仕切用ガスケット１６Ｘの両側間を連通できるとともに、中間仕切用ガスケット１６Ｙの両側間を連通でき、しかも、前部仕切用ガスケット１６Ｘ及び中間仕切用ガスケット１６Ｙが連通領域Ｌ１に到達した場合には、両側の前部混合用収容室１８ａと順次排出用収容室１９との間が連通されない長さとなっている。また、この連通路３１は、中間仕切用ガスケット１６Ｙが連通領域Ｌ１に到達した場合に、前部仕切用ガスケット１６Ｘが連通領域Ｌ１よりも排出部１１側に移動できる空間が確保できるように、外筒１２の長手方向の中間位置に設けられている。【００３９】  前部仕切用ガスケット１６Ｘは、図１及び図２に示すように、外筒１２の内壁面に対応した外周形状を有し、周囲に環状に形成された複数本のリブ状の外周シール部１６ａが形成されており、内側には、開閉手段２０が設けられている。この前部仕切用ガスケット１６Ｘの材料としては、プランジャ用ガスケット１５と同一のものを例示することができる。【００４０】  前部仕切用ガスケット１６Ｘの内側に設けられた開閉手段２０は、前部仕切用ガスケット１６Ｘに外筒１２の長手方向となるように形成された貫通孔２１と、図３に示すような、貫通孔２１に摺動可能に配置された仕切用成形体２２とを有している。【００４１】  前部仕切用ガスケット１６Ｘの貫通孔２１は、仕切用成形体２２の形状に対応した内周形状を有し、その内周囲には内周シール部２１ａが形成されている。この内周シール部２１ａは、前記外周シール部１６ａに対応する位置に形成されている。
また、前部仕切用ガスケット１６Ｘのプランジャ１４側の端面には、周方向に略等間隔に４つの凸部１６ｂ，１６ｂ，…が一体形成されている。
この凸部１６ｂは、前部仕切用ガスケット１６Ｘと中間仕切用ガスケット１６Ｙが当接した場合に、前部仕切用ガスケット１６Ｘの端面と中間仕切用ガスケット１６Ｙの端面との間に、所定の隙間を確保して流路を確保するためのものである。【００４２】  仕切用成形体２２は、外筒１２に利用可能な材料を用いて形成されており、図１及び図３に示すように、長手方向に一定断面形状を有し、貫通孔２１の内周シール部２１ａと全周にわたり液密かつ摺動可能に接する柱状の密封部２３を有している。ここでは、密封部２３は、貫通孔２１の内周シール部２１ａを貫通した状態で配置され、密封部２３の内部混合用収容室１８ｂ側に、貫通孔２１より大きいフランジ部２６が形成されている。【００４３】  この密封部２３より排出部１１側には、密封部２３を貫通孔２１に配置された状態で、前部仕切用ガスケット１６Ｘの排出部１１側端部より排出部１１側に突出するように突出部２４が設けられている。この実施形態では、密封部２３から連続して突出部２４が形成されており、密封部２３の外周形状より小さい外周となるように形成された複数のリブ片２４ａから構成されている。【００４４】  そして、密封部２３より排出部１１側の仕切用成形体２２の表面、ここでは突出部２４の表面に、リブ片２４ａ、２４ａの間に形成された溝状の連通路２５が、仕切用成形体２２の周囲に略均等に分散して形成されている。この連通路２５は、密封部２３が貫通孔２１の内周シール部２１ａに配置された状態で、一端２５ａ側で内周シール部２１ａにより内部混合用収容室１８ｂとの間が閉塞されており、仕切用成形体２２が前部仕切用ガスケット１６Ｘに対して相対移動することにより開通され、前部仕切用ガスケット１６Ｘの両端面間を連通するようになっている。また、リブ片２４ａの排出部１１側の端部には、排出口１１ｃに対向する位置に切欠き状の凹部２４ｂが形成されており、突出部２４が排出部１１の端面１１ａに当接した状態で連通路２５がら排出口１１ｃまでの間の流路を確保できるようになっている。【００４５】  このような開閉手段２０では、密封部２３が貫通孔２１の内周シール部２１ａに配置された状態では、連通路２５は内部混合用収容室１８ｂ側で内周シール部２１ａにより閉塞されている。そして、仕切用成形体２２が前部仕切用ガスケット１６Ｘに対してプランジャ１４側に相対移動して、密封部２３が貫通孔２１の内周シール部２１ａよりプランジャ１４側に移動すると、連通路２５の内部混合用収容室１８ｂ側が開口し、前部仕切用ガスケット１６Ｘの両側間が連通路２５により連通されるように構成されている。【００４６】  このようなプレフィルドシリンジ１０では、外筒１２及び仕切用成形体２２は、前部混合用収容室１８ａ、内部混合用収容室１８ｂ及び順次排出用収容室１９の収容物に対して安定な硬質の材料、例えば、各種のガラス、合成樹脂などにより形成されている。
外筒１２及び仕切用成形体２２の材料として使用可能な合成樹脂としては、低密度或いは高密度ポリエチレン、ポリプロピレン、ポリブタジェン−１等のポリオレフィン類、ポリ塩化ビニル、ポリ塩化ビニリデン、塩化ビニリデン共重合体、ポリメタクリル酸メチル、エチレン−ビニルアルコール共重合体、アクリロニトリル共重合体、ポリエチレンテレフタレート、ポリエチレンナフタレートなどを挙げることができる。【００４７】  前部混合用収容室１８ａ、内部混合用収容室１８ｂ及び順次排出用収容室１９に薬剤等、人体に投与される収容物を収容する場合、溶出物などの悪影響を防止ためにポリオレフィン類が好ましく、特に、粉末製剤や凍結乾燥製剤を収容することから、水蒸気バリア性が良好で、かつ、成分が吸着し難い環状ポリオレフィンを使用するのが好適である。【００４８】  また、プランジャ用ガスケット１５及び中間仕切用ガスケット１６Ｙは、それぞれ、外筒１２の内壁面に対応した外周形状を有し、周囲に環状に形成された複数本のリブ状の外周シール部１５ｓ、１６ｓが形成されている。これらは弾性変形可能な材料から構成されており、外周シール部１５ｓ、１６ｓはその弾性により外筒１２の内壁面と液密かつ摺動可能に接している。【００４９】  これらのプランジャ用ガスケット１５、前部仕切用ガスケット１６Ｘ、中間仕切用ガスケット１６Ｙの材料としては、例えば、塩素、臭素等のハロゲン化ブチル系ゴム、ジビニルベンゼン共重合部分架橋ブチルゴム、ブチルゴム等のブチル系ゴム、エチレン−ブロピレン共重合ゴム（ＥＰＲ）、エチレン−プロピレン−ジエンモノマー三元共重合ゴム（ＥＰＤＭ）等の非共役ジエン系ゴム、ポリイソプレンゴム、ポリブタジエンゴム、スチレンブタジエン共重合ゴム（ＳＢＲ）、アクリロニトリル−ブタジエン共重合ゴム（ＮＢＲ）、天然ゴム、イソプレンゴム、ブタジエンゴム、スチレン−ブタジエンゴム、シリコーンゴムなどの各種ゴム材料、ポリウレタン系、ポリエステル系、ポリアミド系、オレフィン系、スチレン系等の各種エラストマー、または、これらの混合物等、筒内壁面や成形体との間を液密にシール可能な弾性を有する材料を用いることができる。【００５０】  なお、プランジャ用ガスケット１５、前部仕切用ガスケット１６Ｘ、中間仕切用ガスケット１６Ｙの材料は、全て同一であってもよく、収容物に応じて互いに異ならせてもよい。その際、特に、粉末製剤や凍結乾燥製剤が収容されている前部混合用収容室１８ａを構成する前部仕切用ガスケット１６Ｘは、水蒸気バリア性が良好であるブチル系ゴムが好ましく、吸着又は吸着され易い収容物を収容する場合には、収容物と接する面にその収容物の吸着性を低くするためのラミネートや表面処理を施すのが好ましい。
また、同様の理由により、チップキャップ１１ｄにも水蒸気バリア性が高いブチル系ゴムが好適である。【００５１】  以上のような構成のプレフィルドシリンジ１０は次のようにして使用される。
まず、保存状態では、図４（ａ）に示すように、プランジャ１４が外筒１２の後端側に配置されており、前部混合用収容室１８ａ、内部混合用収容室１８ｂ及び順次排出用収容室１９には、所定量の混合成分又は順次排出成分がそれぞれ隔離して収容されている。【００５２】  この状態では、前部仕切用ガスケット１６Ｘ及び中間仕切用ガスケット１６Ｙは、連通路３１よりプランジャ１４側に配置されているとともに、前部仕切用ガスケット１６Ｘが閉塞領域に配置されている。また、排出部１１も閉塞されている。そのため、前部混合用収容室１８ａ、内部混合用収容室１８ｂ及び順次排出用収容室１９は何れも密封状態で維持されている。【００５３】  ここで、前部仕切用ガスケット１６Ｘの閉塞領域とは、前部仕切用ガスケット１６Ｘが当初配置された位置から排出部１１の近傍までの連通路２５が閉塞状態を維持できる移動範囲であり、混合成分を排出する区間である。具体的には、前部仕切用ガスケット１６Ｘの排出部１１側端部から排出部１１側に突出した突出部２４が排出部１１の端面１１ａに当接するまでの前部仕切用ガスケット１６Ｘの移動範囲で、突出部２４の突出量により定まる。【００５４】  この閉塞領域では、貫通孔２１の内周シール部２１ａに密封部２３が内周シール部２１ａを貫通した状態で配置されて液密に接している。また、突出部２４は前部仕切用ガスケット１６Ｘの排出部１１側端部より排出部１１側に突出して、連通路２５の内部混合用収容室１８ｂ側の端部は内周シール部２１ａにより閉塞されている。そのため、前部混合用収容室１８ａと内部混合用収容室１８ｂとの間は確実に密封状態で維持されている。【００５５】  そして、前部混合用収容室１８ａに収容された収容液と内部混合用収容室１８ｂ及び順次排出用収容室１９に収容された収容液とを排出口１１ｃから排出させるには、先ず、プランジャ１４の押圧を開始する際に、チップキャップ１１ｄを除去して必要によりルアーロック構造部１１ｂに図示しない注射針や送液用チューブを連結もしくは医療容器のコネクターに直接連結し、次いで、プランジャ１４を排出部１１側に押圧することにより、順次排出用収容室１９の順次排出成分、中間仕切用ガスケット１６Ｙ、内部混合用収容室１８ｂの混合成分を介して、これらとともに前部仕切用ガスケット１６Ｘを閉塞領域の範囲で移動させて、図４（ｂ）に示すように、連通領域Ｌ１に到達させる。すると、連通路３１により前部混合用収容室１８ａと内部混合用収容室１８ｂとが連通する。【００５６】  尚、排出部１１をチップキャップ１１ｄにより閉塞した状態でプランジャ１４の押圧を開始するようにしてもよい。この場合には、前部混合用収容室１８ａ内の圧縮性流体が圧縮することにより、前部仕切用ガスケット１６Ｘが移動して連通路３１が開通する。【００５７】  この状態で、さらにプランジャ１４を排出部１１側に押圧すると、順次排出用収容室１９の順次排出成分を介して中間仕切用ガスケット１６Ｙが押圧されて移動し、内部混合用収容室１８ｂ内の混合成分が連通路３１を経由して前部混合用収容室１８ａに移送される。そして、前部混合用収容室１８ａ内で、内部混合用収容室１８ｂの混合成分と前部混合用収容室１８ａ内の混合成分とが混合され、溶解液或いは分散液が形成される。【００５８】  内部混合用収容室１８ｂ内の混合成分を前部混合用収容室１８ａに移送した後、図４（ｃ）に示すように、連通領域Ｌ１に留まっていた前部仕切用ガスケット１６Ｘに中間仕切用ガスケット１６Ｙが当接する。【００５９】  次に、さらにプランジャ１４を排出部１１側に押圧する。すると、順次排出用収容室１９の順次排出成分及び中間仕切用ガスケット１６Ｙを介して前部仕切用ガスケット１６Ｘが押圧され、この前部仕切用ガスケット１６Ｘが排出部１１側に移動することにより、前部混合用収容室１８ａ内の混合後の混合成分からなる溶解液或いは分散液が排出部１１がら排出される。【００６０】  そして、混合後の混合成分の排出を続けることにより、図４（ｄ）に示すように、中間仕切用ガスケット１６Ｙが連通領域Ｌ１に到達すると、連通路３１により順次排出用収容室１９と内部混合用収容室１８ｂとが連通される。【００６１】  ここでは、前部仕切用ガスケット１６Ｘと中間仕切用ガスケット１６Ｙとが当接しているが、内部混合用収容室１８ｂは、前部仕切用ガスケット１６Ｘと中間仕切用ガスケット１６Ｙとの間の隙間や前部仕切用ガスケット１６Ｘの貫通孔２１のプランジャ側の端部の凹部１６ｃなどからなり、十分に小さな容積となっている。【００６２】  また、前部仕切用ガスケット１６Ｘのプランジャ１４側の端面には、凸部１６ｂ，１６ｂ，…が形成されているため、前部仕切用ガスケット１６Ｘの端面と中間仕切用ガスケット１６Ｙの端面との隙間には、連通路３１から凹部１６ｃまでを連通するための流路が形成されている。
この状態からさらにプランジャ１４を押圧すると、順次排出用収容室１９内の順次排出成分がプランジャ用ガスケット１５により加圧され、連通路３１を経由して内部混合用収容室１８ｂに移送される。【００６３】  このとき、前部仕切用ガスケット１６Ｘは、連通領域Ｌ１より排出側に配置されているため、前部混合用収容室１８ａと内部混合用収容室１８ｂとの間は連通路３１では連通されておらず、しかも、フランジ部２６は内部混合用収容室１８ｂ内の内圧が負荷された状態で、前部仕切用ガスケット１６Ｘおよび中間仕切用ガスケット１６Ｙのプランジャ１４側端部に当接しており、仕切用成形体２２は、貫通孔２１内で当初の相対位置で維持され、内部混合用収容室１８ｂ及び順次排出用収容室１９は液密に閉塞された状態で維持される。そのため、移送された順次排出成分は内部混合用収容室１８ｂに貯留される。【００６４】  そして、このようなプランジャ１４の押圧を継続すると、内部混合用収容室１８ｂ内の順次排出成分の体積が増加するに従って、その内圧により、前部仕切用ガスケット１６Ｘが排出部１１側に移動し、前部混合用収容室１８ａ内の混合後の混合成分からなる溶解液或いは分散液が、さらに排出部１１から排出される。
その状態で混合成分の排出が進むと、図４（ｅ）に示すように、前部仕切用ガスケット１６Ｘが排出領域に到達する。【００６５】  ここで、前部仕切用ガスケット１６Ｘの排出領域とは、前部仕切用ガスケット１６Ｘの排出部１１の近傍の移動範囲であり、内部混合用収容室１８ｂ内の順次排出成分を排出する区間である。具体的には、仕切用成形体２２が排出部１１の端面１１ａに当接した後の前部仕切用ガスケット１６Ｘの移動範囲である。【００６６】  すると、仕切用成形体２２の突出部２４が排出部１１の端面１１ａに当接して移動が規制され、前部仕切用ガスケット１６Ｘが仕切用成形体２２に対して排出部１１側に相対移動する。これにより、前部混合用収容室１８ａ内の混合後の混合成分が十分に排出部１１から排出されると同時に、図４（ｆ）に示すように、仕切用成形体２２の貫通孔２１に対する相対移動によって、密封部２３が内部混合用収容室１８ｂ側に移動して連通路２５の内部混合用収容室１８ｂ側の端部が内部混合用収容室１８ｂ側に開口し、内部混合用収容室１８ｂと排出口１１ｃとが連通される。【００６７】  その後、さらにプランジャ１４の押圧を継続すると、連通路２５から内部混合用収容室１８ｂに貯留されていた順次排出成分が加圧され、連通路２５を経由して、排出部１１から排出される。そして、図４（ｇ）に示すように、中間仕切用ガスケット１６Ｙが排出部１１側に完全に移動することにより、順次排出成分の排出が終了して、プレフィルドシリンジ１０からの混合成分及び順次排出成分の排出が完了する。【００６８】  以上のようなプレフィルドシリンジ１０によれば、排出部１１側に互いに隣接して設けられた前部混合用収容室１８ａ及び内部混合用収容室１８ｂに、外筒１２内で混合してから排出される複数の混合成分が収容されるとともに、これらの混合用収容室１８ａ、１８ｂよりプランジャ１４側に設けられた順次排出用収容室１９に、混合成分より後に排出される順次排出成分が収容され、プランジャ用ガスケット１５を排出部側へ移動させることにより、前部混合用収容室１８ａと内部混合用収容室１８ｂとの間を連通させて、混合成分を混合して排出することができる混合排出手段３０と、混合成分の排出後に順次排出成分を排出させることができる開閉手段２０とを設けたので、プレフィルドシリンジ１０に収容された複数の成分を混合して排出させる操作と、別の成分を順次排出させる操作とを、プランジャ１４の押圧操作により行うことができる。そのため、収容されている成分の混合順序や排出順序を設定することが可能である。【００６９】  また、前部混合用収容室１８ａと内部混合用収容室１８ｂとの間を仕切る前部仕切用ガスケット１６Ｘが連通領域Ｌ１に到達することにより両混合用収容室１８ａ、１８ｂ間を連通する連通路３１を備えるとともに、混合後の混合成分が収容された前部混合用収容室１８ａと順次排出成分が貯留された内部混合用収容室１８ｂ及び順次排出用収容室１９との間に配置される前部仕切用ガスケット１６Ｘが連通領域Ｌ１よりも排出部１１側の排出領域に到達することにより連通路２５が開通するように構成されているので、排出領域で連通路２５が開通して順次排出成分が排出部１１から排出されるまで��間に、確実に複数の混合成分を混合して排出部１１から排出させ易くすることができる。【００７０】  さらに、このような前部仕切用ガスケット１６Ｘに、貫通孔２１と、この貫通孔２１に摺動可能に配置された仕切用成形体２２とを有し、前部仕切用ガスケット１６Ｘが閉塞領域から排出領域に移動して、仕切用成形体２２が前部仕切用ガスケット１６Ｘに対して相対移動することにより、連通路２５が開通される開閉手段２０を設けているので、排出領域を混合後の混合成分の排出が完了する位置近傍に設け易く、混合成分の排出が実質的に完了した後で順次排出成分を排出させ易い。【００７１】  また、内部混合用収容室１８ｂと順次排出用収容室１９との間を仕切る内部仕切用ガスケット１６Ｙが連通領域Ｌ１に到達することにより、内部混合用収容室１８ｂと順次排出用収容室１９との間が連通路３１により連通されるので、順次排出成分を順次排出用収容室１９から内部混合用収容室１８ｂまで移送させるための特別な手段が不要であり、順次排出成分を排出部１１から排出させるための順次排出用の手段をより簡単に構成することができる。【００７２】  さらに、排出部１１を閉塞するチップキャップ１１ｄを備えるとともに、前部混合用収容室１８ａに混合成分とともに気体等の圧縮性流体を収容しておけば、排出部１１をチップキャップ１１ｄで閉塞した状態でプランジャ１４を押圧しても、前部混合用収容室１８ａの圧縮性流体が圧縮されることにより、前部混合用収容室１８ａと内部混合用収容室１８ｂと間を仕切る前部仕切用ガスケット１６Ｘを排出部１１側に移動させることができる。そのため、この移動により混合排出手段３０により各混合用収容室１８ａ、１８ｂ間を連通させれば、排出部１１を開放することなく、混合成分の混合操作を行うことも可能である。【００７３】  また、このプレフィルドシリンジ１０では、前部混合用収容室１８ａの混合成分として被溶解成分を収容し、内部混合用収容室１８ｂの混合成分として溶解成分を収容し、順次排出用収容室１９の順次排出成分として被溶解成分及び溶解用液の成分を調整する調整液を収容するとともに、溶解用液の被溶解成分に対する溶解度を、調整液並びに調整液及び溶解用液の混合液の被溶解成分に対する溶解度より高くすれば、被溶解成分として難溶解性の成分を用いても、より溶解し易い溶解用液により溶解させることができるため溶解操作が容易である。しかも、そのような溶解用液を用いるために、混合後の混合成分が、患者に投与したり、混注する際、薬液として不適切な物性や組成となっていても、調整液により調整することができるため、プレフィルドシリンジ全体として適切な薬液の物性や組成にすることが可能である。【００７４】  特に、被溶解成分を溶解用液に溶解する場合に、溶解性にｐＨの影響が大きい薬剤が存在するが、このような薬剤を被溶解成分とする場合には、溶解し易いｐＨの液体を用いて、調整液として溶液のｐＨを調整する液を用いれば、優れた効果が得られる。【００７５】  さらに、順次排出用収容室１９の順次排出成分として、混合後の混合成分を押し出すための押し出し液を用いれば、複数の混合成分を順次排出成分で押し出して排出部１１から排出させることができ、プレフ��ルドシリンジ１０内に残留する各混合成分の量を出来るだけ少なく抑えることができ、実質的に無くすことも可能である。そのため、混合成分を確実に実質的に全量排出させることができる。【００７６】  そして、このプレフィルドシリンジ１０では、開閉手段２０と連通路３１とを組み合わせているので、前部仕切用ガスケット１６Ｘを外筒１２内で排出部１１側へ移動させる際、閉塞領域において開閉手段２０が閉塞した状態で連通路３１の位置に到達すると、両側の前部混合用収容室１８ａと内部混合用収容室１８ｂとの間を連通させることができ、さらに移動させると、再び両側の混合用収容室１８ａ、１８ｂ間を隔離させた状態で閉塞領域を移動して排出領域に到達すると、開閉手段２０が開放されて、再度、両側の混合用収容室１８ａ、１８ｂ間を連通させることができる。そのため、前部仕切用ガスケット１６Ｘを外筒１２の排出部１１側に移動させるだけで、両側の混合用収容室１８ａ、１８ｂ間を２度連通させることができ、複数の成分の混合順序や排出順序等を調整するのに特に好適に用いることができる。【００７７】  また、図５（ａ）、（ｂ）に示すように、排出部１１をチップキャップ１１ｄにより閉塞した状態でプランジャ１４の押圧を開始するようにしてもよい。この場合には、前部混合用収容室１８ａ内の圧縮性流体が圧縮することにより、前部仕切用ガスケット１６Ｘが移動して連通領域Ｌ１に到達し、連通路３１により前部混合用収容室１８ａと内部混合用収容室１８ｂとが連通する。
その後に、チップキャップ１１ｄを除去して必要によりルアーロック構造部１１ｂに図示しない注射針や送液用チューブを連結もしくは医療容器のコネクターに直接連結するようにしてもよい。尚、図５において、（ｃ）乃至（ｇ）の工程は、図４の（ｃ）乃至（ｇ）と同一であるため、その説明は省略する。【００７８】  尚、上記実施の形態では、医療用の薬液を収容した例について説明したが、医療用以外の用途に用いるプレフィルドシリンジであっても、本発明を適用することは可能である。
また、上記では、連通路３１として、外筒１２を外側に膨出させて内部に溝形状を形成したが、連通路３１は各仕切用ガスケットの両側間を連通するものであれば特に限定されない。例えば、図６に示すように、外筒１２を膨出させることなく、外筒１２の内表面に溝状に形成した連通路３１ａであってもよい。【００７９】  さらに、上記では、開閉手段２０として、仕切用成形体２２がプランジャ１４側にフランジ部２６を有するとともに排出部１１側に突出部２４が突出し、この仕切用成形体２２がプランジャ１４側に移動することにより、連通路２５が形成されるものについて説明したが、特に限定されるものではない。【００８０】  例えば、図７（ａ）に示すように、開閉手段２０として、仕切用成形体３２が排出部１１側にフランジ部３６及び密封部３３を有するとともに、内部に連通路３５を有し、図７（ｂ）に示すように、前部仕切用ガスケット１６Ｘに対して仕切用成形体３２が排出部１１側に相対移動することにより、連通路３５が前部仕切用ガスケット１６Ｘの両側間を連通するように構成することも可能である。その場合、前部仕切用ガスケット１６Ｘが排出部１１に当接した後、内部混合用収容室１８ｂの混合成分の内圧により仕切用成形体３２が相対移動するようにしてもよい。
【図面の簡単な説明】
【００８１】
【図１】  この発明の実施の形態のプレフィルドシリンジを示す断面図である。
【図２】  図１のプレフィルドシリンジの前部仕切用ガスケットを示し、（ａ）は斜視図、（ｂ）は断面図である。
【図３】  図１のプレフィルドシリンジの仕切用成形体を示し、（ａ）は斜視図、（ｂ）は断面図である。
【図４】  （ａ）〜（ｇ）は図１のプレフィルドシリンジに収容された各成分の排出状態を説明する図である。
【図５】  （ａ）〜（ｇ）は図１のプレフィルドシリンジに収容された各成分の排出状態の他の例を説明する図である。
【図６】  図１のプレフィルドシリンジの連通路の変形例を示す断面図である。
【図７】  図１のプレフィルドシリンジの開閉手段の変形例を示す一部の断面図である。
【符号の説明】
【００８２】  １０  プレフィルドシリンジ
１１  排出部
１２  外筒
１４  プランジャ
１５  プランジャ用ガスケット
１６Ｘ  前部仕切用ガスケット
１６Ｙ  中間仕切用ガスケット
１８ａ  前部混合用収容室
１８ｂ  内部混合用収容室
１９  順次排出用収容室
２０  開閉手段
２１  貫通孔
２２  仕切用成形体
２４  突出部
２５  連通路
３０  混合排出手段
３１  連通路
【図１】
2006271938.tif 000003
【図２】
2006271938.tif 000004
【図３】
2006271938.tif 000005
【図４】
2006271938.tif 000006
【図５】
2006271938.tif 000007
【図６】
2006271938.tif 000008
【図７】
2006271938.tif 000009